(57)【要約】【課題】壁パネルに開口を設けても耐力壁として十分な強度が確保されるようにし、建築プランの自由度を高める。【解決手段】壁パネル１の枠体内に柱材２と横桟４を設け、柱材２と横桟４で囲まれた部分を開口５とする。開口５を連続させずに間隔をおいて設けることによって、耐力壁として十分な強度を有しながらも、壁に対する開口面積を比較的大きく取れるようにしたものである。また、必要に応じて、開口５内に格子やＸ状の補強体が取り付けて強度を増大させると共に意匠的にアクセントをつけたものである。【選択図】図１
2004285588.tif 000002
【特許請求の範囲】
【請求項１】
枠材に構造用合板を貼り付けたパネルであって、枠内に複数の縦横の桟からなる補強材を設け、桟で囲まれる部分を開口とし、複数の開口を間隔をあけて配置した多開口パネル。
【請求項２】
請求項１において、縦横の桟からなる補強材は、枠の対角線に沿って階段状となるように配置されている多開口パネル。
【請求項３】
請求項１〜２のいずれかにおいて、縦枠材の構成材の間にクッション材を介在させてある多開口パネル。
【請求項４】
請求項１〜３のいずれかにおいて、マグサが設けてある多開口パネル。
【請求項５】
枠材に縦桟と横桟を配置し、構造用合板を枠材及び桟に固定し、縦桟と横桟で区画された部分の構造用合板をくり抜きパネル面に複数の開口を形成する多開口パネルの製造方法。
【請求項６】
請求項５において、開口が間隔をおいて形成される多開口パネルの製造方法。
【発明の詳細な説明】
【０００１】
【発明の属する技術分野】
本発明は、枠材に耐力合板を固定したパネルに複数の開口を設けた耐力壁に関する。
【０００２】
【従来の技術】
従来、枠組壁工法によって建築される住宅等の建物においては、荷重を壁体が負担するものとして設計しており、壁体を構成する壁パネルは、耐力壁として強度が要求されている。採光等のために壁パネルに開口を設けると、開口を設けたことによって耐力が低下するため構造材としての耐力壁とは見なされなかった。
【０００３】
【特許文献１】
特開平１０−７２８８５号公報（図面）
【特許文献２】
特開平８−３３４２６０号公報（特許請求の範囲、図面、要約書）
【特許文献３】
特開平６−１３６８３４号公報（図面）
【非特許文献１】
ＮＩＫＫＥＩ  ＡＲＣＨＩＴＥＣＴＵＲＥ  ２００２−８−５  １１０〜１１１頁
【０００４】
非特許文献１（ＮＩＫＫＥＩ  ＡＲＣＨＩＴＥＣＴＵＲＥ  ２００２−８−５１１０〜１１１頁）には窓付きの耐力壁が示されている。これは、図７に示すように、三角形の火打金物を壁パネルの角部にボルトで固定し、構造用合板を壁の上下に配したものであり、枠材で囲まれた中間部を開口としたものである。
【０００５】
【発明が解決しようとする課題】
開口を有するパネルが構造材としてみなされないと、建物全体での壁量が不足する。それを補うために他の位置に耐力壁を配設して建物全体としての壁量を満足させるため、建物のプランの自由度が小さくなり、自由な間取りや採光計画がたてられないという問題がある。
本発明は、特殊な金物を使用することなく、壁パネルに開口を設けても耐力壁として十分な強度が確保されるようにし、結果的に建築プランの自由度を高めると共に、開口を有するパネルによって新たな意匠を提案するものである。
【０００６】
【課題を解決するための手段】
壁パネルの枠体内に縦桟と横桟を設け、枠体の対角線にかけて階段状に補強材を形成し、桟で囲まれた部分を開口とすると共に、開口を連続させずに間隔をおいて設けることによって、耐力壁として十分な強度を有しながらも、壁に対する開口面積を比較的大きく取れるようにしたものである。また、必要に応じて、開口内に格子やＸ状の補強体を取り付けて強度を増大させると共に、意匠的にアクセントをつけたものである。
【０００７】
本発明の壁パネルは、外周の枠体内に縦桟と横桟を設けて開口としており、開口が間隔をおいて形成している。開口以外の部分は構造用合板によって覆われており、構造用合板は、釘で外周枠体及び縦横の桟に固定してある。場合によっては、接着剤の併用、または釘を使用せずに接着剤のみで構造用合板を枠体に固定してもよい。
【０００８】
【作用】
本発明の多開口パネルは、縦横の複数の桟で構成される補強部材がパネルを補強するので壁パネルの耐力、特に水平方向の力に対する耐力を増大させることができ、開口無しの耐力壁と同等以上の強度が確保される。
また、縦横の桟が、枠の対角線に沿って階段状に配置されているので、筋交いとして作用するので、パネルを強固にし、開口がありながらも耐力壁として使用することが可能となる。
【０００９】
【実施例】
実施例１
図１及び図２に本発明の壁パネル１の一例を示す。図１は外枠及びその内部に配置した縦横の桟の配置状体、図２は構造用合板を貼り付けた面を示したものである。
壁パネル１の外縦枠を構成する柱材２は、２×４工法の枠材の間に厚さ１０〜１５ｍｍの合板をパッキング１１として介在させたものである。他の柱材２に対向する面に沿って同様の枠材からなるマグサ受け１２が固定してある。
【００１０】
壁パネル１の中間部の柱材２は、前記の合板からなるパッキング１１を介在させたものを２本並べたものであり、他の柱材に対向する面にはマグサ受け１２が柱材２に沿って固定してある。
壁パネル１の大きさは、１８２０（Ｗ）×２４５０（Ｈ）（ｍｍ）であり、中間部の柱材２は均等間隔に配置してある。壁パネル１は、２本の柱材２によって構成される部分をユニットとし、このユニットを複合することによって、壁パネルの大きさを調整することができる。図１の例は、３つのユニットからなるものであり、１つのユニットの幅は、４００〜９１０ｍｍ程度とする。
【００１１】
壁パネル１の上部には垂直荷重を負担するマグサ３がマグサ受け１２の上端に支持させて固定してある。大きな垂直荷重を壁パネルに負担させない場合は、マグサ３を省略することができる。
【００１２】
マグサ受け１２の間には横桟４が固定されており、柱材２と横桟４で囲まれる部分を開口５とするものである。
【００１３】
この枠組の片面または両面に厚さ９ｍｍの構造用合板６が固定してある。構造用合板６は、柱材２の間隔に合わせたものであり、釘９で枠材に固定してある。また、開口５になる部分の周囲にも釘を打ち付けて構造用合板を固定する。釘９のピッチは外枠の柱材部分、及び中間の縦桟部分は５０ｍｍであり、マグサ受け部分及び横桟部分は１００ｍｍとしてあるが、全てのピッチを５０ｍｍとしてもよい。
【００１４】
構造用合板６を壁パネルの枠材に固定し、開口とする部分の構造用合板をくり抜いて開口５を形成する。必要に応じて開口周縁にアルミニウム等の金属製の枠体や格子を嵌め込み、内側端面をビスで固定し、補強兼用の装飾材とする。
【００１５】
実施例２
図３及び図４に示す壁パネル１は、実施例１と同様に２×４工法の枠材で柱材２と横枠２１で外枠を構成した。柱材２に沿わせてマグサ受け１２を設け、柱材２の間には柱兼用のマグサ受け２２を３本等間隔に配置してある。壁パネル１の上部には垂直荷重を負担させるためにマグサ３を配置してある。
柱材２とマグサ受け２２及びマグサ受け２２同士の間に横桟４を配置固定し、横桟４とマグサ受け２２で囲まれる部分を開口５とする。
この枠組の片面または両面に厚さ９ｍｍの構造用合板６が固定してある。構造用合板６は、２枚使用して壁パネル全体を覆うように釘９で枠材に固定してある。
【００１６】
実施例３
図５に示すように、開口５を３行、３列に９個配置したものであるが、壁パネルの中央に縦桟が設けてあり、構造用合板を２枚用いたものである。
【００１７】
本発明の多開口パネルの変形例を図６に示す。
図６（１）に示すものは、枠材の間にワイヤーやブレース等の補強材７を配置して強度を向上させたものである。
図６（２）に示すものは、開口部周囲に補強枠８を配置し、強度を向上させたものである。
図６（３）及び（４）は縦長、または横長の開口を設けた例である。
【００１８】
これらの壁パネルの耐力試験をおこなった。壁パネルの正負のせん断変形角が１／６００、１／４５０、１／３００、１／２００、１／１５０、１／１００、１／７５、１／５０（ラジアン）となるまで、３回繰り返し加力おこなったところ、いずれのケースにおいても、開口無しの壁パネルと同等またはそれ以上の耐力があることが判明した。
【００１９】
【発明の効果】
本発明の多開口パネルは、縦横の桟を設けることによって開口を間隔をあけて複数形成し、トータルでは大きな開口面積となるが、補強金物を用いることなく、壁パネルの耐力、特に水平方向の力に対する耐力を増大させることができ、開口無しの耐力壁と同等以上の強度が確保される。開口を有する壁パネルを耐力壁として使用することができるので、建築プランの自由度を高めると共に、開口を有する壁パネルによって意匠的にも斬新な建物となる。
【図面の簡単な説明】
【図１】多開口パネルの枠材の配列を示す正面図。
【図２】構造用合板を貼り付けた状態の多開口パネルの正面図。
【図３】多開口パネルの枠材の配列の他の実施例の正面図。
【図４】構造用合板を貼り付けた状態の他の実施例の正面図。
【図５】多開口パネルの他の実施例の正面図。
【図６】多開口パネルの変形例。
【図７】開口を有するパネルの先行技術の正面図。
【符号の説明】
１    壁パネル
２    柱材
３    マグサ
４    横桟
５    開口
６    構造用合板
【図１】
2004285588.tif 000003
【図２】
2004285588.tif 000004
【図３】
2004285588.tif 000005
【図４】
2004285588.tif 000006
【図５】
2004285588.tif 000007
【図６】
2004285588.tif 000008
【図７】
2004285588.tif 000009